(57)【要約】【課題】餌を前足で把持する特性をもった野生動物の捕獲に適した括り罠の作動装置を提供する。【解決手段】括り罠の作動装置２０は、待機形態と作動形態との間で変形可能で、開口部３１ａを有する取付ベース３１と、半枠状で、ワイヤー１１を保持可能な一対のワイヤーガイド３３と、ワイヤーガイド３３を常に付勢する跳ね上げ用弾性体３４と、取付ベース３１の取付面３１ｂに沿って移動可能な一対のトリガーベース３６と、待機形態ではトリガーベース３６間に挟まれて、作動形態ではトリガーベース３６間から外れるトリガー３７と、トリガーベース３６を常に付勢するトリガー用弾性体３８とを備え、トリガーベース３６は、待機形態ではワイヤーガイド３３と重なるアーム部３３ｂを有する。【選択図】図４
2020036556.tif 000002
【特許請求の範囲】
【請求項１】
ワイヤーで野生動物の足を括ることで前記野生動物を捕獲する括り罠においてその一部を構成し、待機形態と作動形態との間で変形可能な括り罠の作動装置であって、
内側に開口部を有し、前記開口部の周囲に取付面を有する取付ベースと、
前記取付ベースの前記取付面に直接的又は間接的に一対で配置され、それぞれが半枠状で両端部を回転軸として倒れ位置と跳ね上げ位置との間を回動可能で、前記倒れ位置では一対で枠状となり周囲にテンションを加えた状態の前記ワイヤーを保持可能なワイヤーガイドと、
前記ワイヤーガイドを常に前記跳ね上げ位置に向けて付勢する跳ね上げ用弾性体と、
前記取付ベースの前記開口部の中心を挟み前記取付ベースの前記取付面に直接的又は間接的に一対で配置され、それぞれ、前記取付ベースの前記取付面に沿って外側位置と内側位置との間を移動可能なトリガーベースと、
前記待機形態では平面的に見て一部又は全部が前記開口部と重なるとともに、前記トリガーベースを前記外側位置に留めるように一対の前記トリガーベース間に挟まれ、前記作動形態では少なくとも一端部が前記トリガーベース間から外れるトリガーと、
前記トリガーベースを常に前記内側位置に向けて付勢するトリガー用弾性体とを備え、
前記トリガーベースは、前記外側位置にあるときには前記倒れ位置にあるワイヤーガイドと重なり、前記内側位置にあるときには前記倒れ位置にあるワイヤーガイドと重ならないように突出するアーム部を有する、括り罠の作動装置。
【請求項２】
筒状又は有底筒状で、前記取付ベースを載置可能な設置筒をさらに備える請求項１に記載の括り罠の作動装置。
【請求項３】
取り外し可能で、取り付けられた際に一部が前記倒れ位置にあるワイヤーガイドと重なる安全具をさらに備える請求項１又は２に記載の括り罠の作動装置。
【請求項４】
前記ワイヤーガイドは、前記周囲に前記ワイヤー外径に対応する凹部が形成されている請求項１〜３のいずれかに記載の括り罠の作動装置。
【請求項５】
前記トリガーは、一端部が一対の前記トリガーベースの内のいずれかのトリガーベースに、前記一端部を軸に回動可能に接合する請求項１〜４のいずれかに記載の括り罠の作動装置。
【請求項６】
前記トリガーは、餌を前足で把持する特性をもった動物に対応し、前記前足が通らない大きさの隙間が内側に形成されている請求項１〜５のいずれかに記載の括り罠の作動装置。
【請求項７】
前記跳ね上げ用弾性体は、一端が前記取付ベースに接し、他端が前記ワイヤーガイドに接するトーションばねである請求項１〜６のいずれかに記載の括り罠の作動装置。
【請求項８】
前記トリガー用弾性体は、一対の前記トリガーベースの各トリガーベースに両端のそれぞれが接続される引っ張りばねである請求項１〜７のいずれかに記載の括り罠の作動装置。
【請求項９】
野生動物を捕獲する括り罠であって、
ワイヤー及び前記ワイヤーを締め付けるようにテンションを加えることが可能に構成されたワイヤー締め付け機構を有するワイヤー装置と、
前記テンションを加えた状態の前記ワイヤーを保持可能な括り罠の作動装置とを備え、
前記括り罠の作動装置として請求項１〜８に記載の括り罠の作動装置を備える括り罠。
【発明の詳細な説明】
【技術分野】
【０００１】
本発明は、括り罠の作動装置及び括り罠に係り、特に、アライグマ、サル、ハクビシン等の餌を前足で把持する特性をもった野生動物の前足をワイヤーで括って捕獲するのに好適な括り罠の作動装置及び括り罠に関する。
【背景技術】
【０００２】
従来から、野生動物を捕獲する際に括り罠が用いられている（例えば、特許文献１及び特許文献２参照。）。括り罠は、ワイヤーとワイヤーを保持可能な括り罠の作動装置（以下、単に「作動装置」と記載する場合もある。）とを備え、作動装置が作動することで作動装置から外れたワイヤーで野生動物の足を括り、野生動物を捕獲することができる。
【０００３】
図８及び図９は、従来の括り罠を説明する図である。図８及び図９では、野生動物の足を想像線で示している。図８（ａ）及び図９（ａ）は、作動装置が作動する前の状態を示している。図８（ｂ）及び図９（ｂ）は、作動装置が作動した後の状態を示している。
【０００４】
特許文献１に記載されているような従来の括り罠８０１は、図８に示すように、ワイヤー８１１と作動装置８２０とを備えている。作動装置８２０は、板状の取付ベース（踏み板）８３１が、設置筒（外枠）８５０の内側に、上から荷重が加わると設置筒８５０に対して沈み込むように配置されており、取付ベース８３１に半枠状で回動可能なワイヤーガイド８３３が配置されている。作動装置８２０においては、ワイヤーガイド８３３の一部が設置筒８５０と重なっており、取付ベース８３１が沈み込むと、取付ベース８３１と一緒に沈み込んだワイヤーガイド８３３が設置筒８５０と干渉して回動する。ワイヤー８１１は、取付ベース８３１が沈み込んでいない状態で、ワイヤーガイド８３３に巻き付けられて保持されている（図８（ａ）参照）。括り罠８０１においては、野生動物Ｎが取付ベース８３１を踏みつけることで取付ベース８３１が沈み込むと、回動したワイヤーガイド８３３から外れたワイヤー８１１で野生動物Ｎの足を括ることができる（図８（ｂ）参照）。
【０００５】
特許文献２に記載されているような従来の括り罠９０１は、図９に示すように、ワイヤー９１１と作動装置９２０とを備えている。作動装置９２０は、取付ベース（エサ囲い筒及び台座）９３１に餌Ｆを取り付けたトリガー（引き金及びエサ取付棒）９３８が回動可能に配置されている。また、作動装置９２０は、トリガー９３８が持ち上がる方向に回動した際に、トリガー９３８から外れ、先端部が跳ね上がる、跳ね上げアーム９９０を有している。ワイヤー９１１は、跳ね上げアーム９９０の先端部に通され、取付ベース９３１から突出するワイヤーガイド９３３に巻き付けられて保持されている（図９（ａ）参照）。括り罠９０１においては、野生動物Ｎがトリガー９３８に取り付けられた餌を前足で持ち上げることでトリガー９３８が回動すると、連動して跳ね上げアーム９９０が跳ね上がり、ワイヤーガイド９３８から外れたワイヤー９１１で野生動物Ｎの前足を括ることができる（図９（ｂ）参照）。
【先行技術文献】
【特許文献】
【０００６】
【特許文献１】実用新案登録第３１２７８３２号公報
【特許文献２】特開２０１６−０５９２８９号公報
【発明の概要】
【発明が解決しようとする課題】
【０００７】
しかしながら、括り罠８０１は、取付ベース８３１にしっかり荷重がかかることで作動装置８２０が作動するため、餌を前足で把持する特性をもった野生動物のように、歩く際にあまり荷重をかけない野生動物の捕獲には適していないという問題があった。また、括り罠８０１は、ワイヤーガイド８３３が取付ベース８３１と一緒に沈みながら回動することから、ワイヤー８１１が外れる位置が低くなる。このため、餌を前足で把持する特性をもった野生動物のように前足を素早く引き戻すことが可能な野生動物に対しては、骨が丈夫でしっかり捕獲しやすい前足の高い位置をワイヤー８１１で括ることが難しいという問題があった。
【０００８】
また、従来の括り罠９０１は、野生動物がトリガー９３８を取り付けられた餌を持ち上げることで作動装置９２０が作動するため、既に前足を引き戻す動作に入っている野生動物の前足をワイヤー９１１で括ることになる。このため、餌を前足で把持する特性をもった野生動物のように前足を素早く引き戻すことが可能な野生動物に対しては、前足の高い位置をワイヤー９１１で括ることが難しいという問題があった。
【０００９】
このような問題に鑑み、本発明は、餌を前足で把持する特性をもった野生動物に対し、前足の高い位置をワイヤーで括りやすく、このような野生動物の捕獲に適した括り罠の作動装置及び括り罠を提供することを課題としている。
【課題を解決するための手段】
【００１０】
［１］本発明に係る括り罠の作動装置は、ワイヤーで野生動物の足を括ることで野生動物を捕獲する括り罠においてその一部を構成し、待機形態と作動形態との間で変形可能な括り罠の作動装置であって、内側に開口部を有し、開口部の周囲に取付面を有する取付ベースと、取付ベースの取付面に直接的又は間接的に一対で配置され、それぞれが半枠状で両端部を回転軸として倒れ位置と跳ね上げ位置との間を回動可能で、倒れ位置では一対で枠状となり周囲にテンションを加えた状態のワイヤーを保持可能なワイヤーガイドと、ワイヤーガイドを常に跳ね上げ位置に向けて付勢する跳ね上げ用弾性体と、取付ベースの開口部の中心を挟み取付ベースの取付面に直接的又は間接的に一対で配置され、それぞれ、取付ベースの取付面に沿って外側位置と内側位置との間を移動可能なトリガーベースと、待機形態では平面的に見て一部又は全部が前記開口部と重なるとともに、トリガーベースを外側位置に留めるように一対のトリガーベース間に挟まれ、作動形態では少なくとも一端部が一対のトリガーベース間から外れるトリガーと、トリガーベースを常に内側位置に向けて付勢するトリガー用弾性体とを備え、トリガーベースは、外側位置にあるときには倒れ位置にあるワイヤーガイドと重なり、内側位置にあるときには倒れ位置にあるワイヤーガイドと重ならないように突出するアーム部を有する。
【００１１】
本発明に係る括り罠の作動装置によれば、内側に開口部を有する取付ベースと、開口部の中心を挟み、外側位置と内側位置との間を移動可能なトリガーベースと、待機形態ではトリガーベースを外側位置に留めるように一対のトリガーベース間に挟まれて、作動形態では少なくとも一端部が一対の前記トリガーベース間から外れるトリガーとを備えるため、餌を前足で把持する特性をもった野生動物が開口部に前足を通そうとすると、前足でトリガーを押すことから、待機形態ではトリガーが一対のトリガーベース間に挟まれた位置となり、作動形態ではトリガーが一対のトリガーベース間から外れた位置となる変形が可能になる。
【００１２】
また、本発明に係る括り罠の作動装置によれば、トリガーベースを常に内側位置に向けて付勢するトリガー用弾性体を備えるため、作動形態ではトリガーがトリガーベースから外れて、トリガーベースが内側位置に移動することから、待機形態ではトリガーベースが外側位置となり、作動形態ではトリガーベースが内側位置となる変形が可能になる。
【００１３】
また、本発明に係る括り罠の作動装置によれば、倒れ位置と跳ね上げ位置との間を回動可能なワイヤーガイドと、ワイヤーガイドを常に跳ね上げ位置に向けて付勢する跳ね上げ用弾性体と、外側位置にあるときには倒れ位置にあるワイヤーガイドと重なり、内側位置にあるときには倒れ位置にあるワイヤーガイドと重ならないアーム部を有するトリガーベースとを備えるため、作動形態では、アーム部によるワイヤーガイドの跳ね上げ位置への移動規制がなくなることから、待機形態ではワイヤーガイドが倒れ位置となり、作動形態ではワイヤーガイドが跳ね上げ位置となる変形が可能になる。
【００１４】
よって、本発明に係る括り罠の作動装置は、待機形態にして取付ベースの開口部の下に餌を置いて、ワイヤーガイドの周囲にテンションを加えた状態のワイヤーをセットして仕掛けておくと、餌を前足で把持する特性をもった野生動物が取付ベースの開口部から前足を入れて餌を捕ろうとすることでトリガーが押され、トリガー、トリガーベース、及びワイヤーガイドと連動して作動形態に変形し、ワイヤーガイドに跳ね上げられたワイヤーが野生動物の前足を括る。本発明に係る括り罠の作動装置は、待機形態から作動形態に変形する際、取付ベースの位置は変わらず、ワイヤーガイドの支点位置が下がらないため、ワイヤーで野生動物の足の高い位置を括りやすい。また、本発明の作動装置は、餌を捕りに取付ベースの開口部の下に向けて前足を移動動作中に作動形態に変形するため、野生動物が前足を引き戻す動作中に作動形態に変形させる場合よりもワイヤーで野生動物の足の高い位置を括りやすい。
【００１５】
その結果、本発明に係る括り罠の作動装置は、餌を前足で把持する特性をもった野生動物に対し、前足の高い位置をワイヤーで括りやすく、このような野生動物の捕獲に適した括り罠の作動装置となる。
【００１６】
［２］本発明に係る括り罠の作動装置においては、筒状又は有底筒状で、取付ベースを載置可能な設置筒をさらに備えることが好ましい。
【００１７】
このように構成された括り罠の作動装置は、設置筒の内側にトリガーから距離を保たせて餌を入れることが可能な括り罠の作動装置となる。
【００１８】
［３］本発明に係る括り罠の作動装置においては、取り外し可能で、取り付けられた際に一部が倒れ位置にあるワイヤーガイドと重なる安全具をさらに備えることが好ましい。
【００１９】
このように構成された括り罠の作動装置は、倒れ位置にあるワイヤーガイドと重なる安全具により、ワイヤーガイドが跳ね上げ位置に移動することを規制することから、ワイヤーをより安全にセットすることができ、ワイヤーをセットしたままでも安全に移動させることができる括り罠の作動装置となる。
【００２０】
［４］本発明に係る括り罠の作動装置においては、ワイヤーガイドは、周囲にワイヤー外径に対応する凹部が形成されていることが好ましい。
【００２１】
このように構成された括り罠の作動装置は、ある程度の高さまでワイヤーをしっかり保持できる括り罠の作動装置となる。
【００２２】
［５］本発明に係る括り罠の作動装置においては、トリガーは、一端部が一対のトリガーベースの内のいずれかのトリガーベースに、一端部を軸に回動可能に接合することが好ましい。
【００２３】
このように構成された括り罠の作動装置は、作動状態でもトリガーベースとトリガーとが分離しないことから、トリガーを紛失してしまうことがない括り罠の作動装置となる。
【００２４】
［６］本発明に係る括り罠の作動装置においては、トリガーは、餌を前足で把持する特性をもった動物に対応し、前足が通らない大きさの隙間が内側に形成されていることが好ましい。
【００２５】
このように構成された括り罠の作動装置は、トリガーの隙間から餌を目視することが可能となり、野生動物がトリガーの隙間から前足を入れようとしてトリガーを押す可能性が増すことから、野生動物を捕獲できる可能性を増した括り罠の作動装置となる。
【００２６】
［７］本発明に係る括り罠の作動装置においては、跳ね上げ用弾性体は、一端が取付ベースに接し、他端がワイヤーガイドに接するトーションばねであることが好ましい。
【００２７】
このように構成された括り罠の作動装置は、ワイヤーガイドを跳ね上げ位置まで十分に付勢できる括り罠の作動装置となる。
【００２８】
［８］本発明に係る括り罠の作動装置においては、トリガー用弾性体は、一対のトリガーベースの各トリガーベースに両端のそれぞれが接続される引っ張りばねであることが好ましい。
【００２９】
このように構成された括り罠の作動装置は、それぞれのトリガーベースを別々の弾性体で付勢しなくてもよい括り罠の作動装置となる。
【００３０】
［９］本発明に係る括り罠は、野生動物を捕獲する括り罠であって、ワイヤー及びワイヤーを締め付けるようにテンションを加えることが可能に構成されたワイヤー締め付け機構を有するワイヤー装置と、テンションを加えた状態のワイヤーを保持可能な括り罠の作動装置とを備え、括り罠の作動装置として本発明の括り罠の作動装置を備える。
【００３１】
本発明に係る括り罠によれば、本発明の括り罠の作動装置を備えているため、本発明の括り罠の作動装置の効果と同様の効果を奏する。
【００３２】
その結果、本発明に係る括り罠は、餌を前足で把持する特性をもった野生動物に対し、前足の高い位置をワイヤーで括りやすく、このような野生動物の捕獲に適した括り罠となる。
【発明の効果】
【００３３】
本発明によれば、餌を前足で把持する特性をもった野生動物に対し、前足の高い位置をワイヤーで括りやすく、このような野生動物の捕獲に適した括り罠の作動装置及び括り罠を提供することができる。
【図面の簡単な説明】
【００３４】
【図１】実施形態１に係る括り罠１の斜視図である。
【図２】実施形態１に係るワイヤー装置１０の部分断面図である。
【図３】実施形態１に係る括り罠の作動装置２０の斜視図である。
【図４】実施形態１に係る括り罠の作動装置２０の平面図及び断面図である。
【図５】実施形態１に係る括り罠１を使用した野生動物の捕獲方法を説明する図である。
【図６】実施形態２に係る括り罠の作動装置１２０の平面図である。
【図７】トリガー用弾性体の変形例を示す図である。
【図８】従来の括り罠８０１を説明する図である。
【図９】従来の括り罠９０１を説明する図である。
【発明を実施するための形態】
【００３５】
本発明の実施形態に係る括り罠は、ワイヤーにより野生動物の足を括って野生動物を捕獲する仕掛け罠である。特に、イノシシやシカ用の括り罠では捕獲が難しい、アライグマ、サル、ハクビシン等の餌を前足で把持する特性をもった野生動物（以下、単に「野生動物」と記載する。）を捕獲するための仕掛け罠である。本発明の実施形態に係る括り罠は、構成の一部に野生動物が触れたことをきっかけにして待機形態から作動形態に変形することで、変形時のワイヤーの締めつけで野生動物の足を括る。
【００３６】
以下に図面を参照して本発明の一実施形態である括り罠の作動装置及び括り罠について説明するが、本発明は、これらの実施形態に限定されるものではない。なお、各図面は必ずしも実際の寸法や細部までを厳密に反映したものではない。
【００３７】
［実施形態１］
（１.実施形態１に係る括り罠１の構成）
図１は、実施形態１に係る括り罠１の斜視図である。図１は、待機形態における括り罠１を示した図である。
図２は、実施形態１に係るワイヤー装置１０の部分断面図である。
図３は、実施形態１に係る括り罠の作動装置２０の斜視図である。図３（ａ）は、待機形態における括り罠の作動装置２０である。図３（ｂ）は、作動形態における括り罠の作動装置２０である。
図４は、実施形態１に係る括り罠の作動装置２０の平面図及び断面図である。図４（ａ）は、待機形態における括り罠の作動装置２０の平面図である。図４（ｂ）は、図４（ａ）におけるＨ１−Ｈ１断面図である。図４（ｃ）は、作動形態における括り罠の作動装置２０の平面図である。図４（ｄ）は、図４（ｃ）におけるＨ２−Ｈ２断面図である。なお、図４（ｂ）及び図４（ｄ）では、野生動物の足を直接括るワイヤー１１を想像線によって示している。
【００３８】
括り罠１は、野生動物を捕獲する括り罠であって、図１に示すように、ワイヤー１１及びワイヤー１１を締め付けるようにテンションを加えることが可能に構成されたワイヤー締め付け機構１２を有するワイヤー装置１０とテンションを加えた状態のワイヤー１１を保持可能な括り罠の作動装置２０（以下、単に「作動装置２０」と記載する場合もある。）とを備えている。
【００３９】
ワイヤー装置１０は、図２に示すように、長尺なワイヤー１１と、先端側から根本側までワイヤー１１を貫通させたワイヤー締め付け機構１２とを有している。
【００４０】
ワイヤー１１は、金属製の寄り線で、先端に小さな環サイズの通し環１１ａが形成されている。ワイヤー１１は、通し環１１ａに根本側の端が通されてループしていることで、先端側に環サイズを変更可能な括り環１１ｂが形成されている。なお、ワイヤー１１は、括り環１１ｂで野生動物の足を括る。
【００４１】
ワイヤー締め付け機構１２は、有底筒状で底の外面が通し環１１ａに接触可能に配置された先端筒１３と、有底筒状で底の外面が根本側を向くように配置された根本筒１４と、圧縮スプリングであり先端筒１３及び根本筒１４間に配置されたワイヤースプリング１５と、筒状で根本筒１４の底の外面に接触可能に配置された固定筒１６と、固定筒１６にねじ込まれて固定筒１６をワイヤー１１に固定する固定ボルト１７とを有している。
【００４２】
このような構成されたワイヤー装置１０は、固定筒１６により根本側への移動が規制された根本筒１４を基にワイヤースプリング１５が先端筒１３を押すことにより、先端筒１３がワイヤーの通し環１１ａを押す。これにより、ワイヤー装置１０は、括り環１１ｂの環サイズを常に小さくしようとするように構成されている。一方でワイヤー装置１０は、括り環１１ｂを所定のサイズの枠の外形に保持させた場合（括り環１１ｂの環サイズを小さくできない場合）には、先端筒１３を基にワイヤースプリング１５が根本筒１４を押すことにより、根本筒１４が固定筒１６を押す。これにより、ワイヤー装置１０は、固定筒１６によってワイヤー１１を引っ張ることで、常にワイヤー１１を締め付けるテンションを加えるよう構成されている。
【００４３】
作動装置２０は、図３及び図４に示すように、待機形態と作動形態との間で変形可能な作動装置本体３０と、待機形態にある作動装置本体３０に取り付けられた際に作動装置本体３０の待機形態から作動形態への変形を規制する安全具４０と、作動装置本体３０の設置台及び餌Ｆ入れとして用いられる設置筒５０とを備えている。ここで、括り罠１又は作動装置２０が待機形態にあるといった場合には、作動装置本体３０が待機形態であることを意味し、安全具４０や設置筒５０が作動装置本体３０と一体になっている形態及び分離している形態であることのいずれも含む。また、括り罠１又は作動装置２０が作動形態にあるといった場合には、作動装置本体３０が作動形態であることを意味し、設置筒５０が作動装置本体３０と一体となっている形態及び分離している形態であることのいずれも含むが、安全具４０は、必ず作動装置本体３０と分離している形態である。
【００４４】
作動装置本体３０は、取付ベース３１と、取付ベース３１に固定された一対のワイヤーガイド受け３２と、ワイヤーガイド受け３２を基準に回動可能なワイヤーガイド３３と、ワイヤーガイド３３を付勢する跳ね上げ用弾性体３４と、取付ベース３１に固定されたトリガーベース受け３５と、トリガーベース受け３５を基準に直線移動可能なトリガーベース３６と、トリガーベース３６間に配置されたトリガー３７と、トリガーベース３６を付勢するトリガー用弾性体３８とを備えている。
【００４５】
取付ベース３１は、内側に開口部３１ａを有する板材で、一方の面における開口部３１ａの周囲に取付面３１ｂを有する。取付ベースについては特に形状や材質を限定するものではないが、取付ベース３１は、外形約１５０ｍｍ×１５０ｍｍで厚み約５５ｍｍの矩形状の木製板である。開口部については野生動物が前足を通しやすければ特に穴の形状を限定するものではないが、開口部３１ａの穴は、約６０ｍｍ×６０ｍｍの矩形状に形成されている。取付ベース３１には、他方の面から突出する複数の円柱状の位置決め突起３１ｃ（図４参照）が形成されている。位置決め突起３１ｃは、外周面が後述する設置筒５０の内壁面と接する位置に形成されている。
【００４６】
ワイヤーガイド受け３２は、直方体状のブロック、アングル状のブロック、アングル状に曲げられた金属板等の中から採用された下面及び下面に交差する方向に広がる側面を有する部材である。ワイヤーガイド受け３２は、下面に固定用のねじ穴が形成されている。また、ワイヤーガイド受け３２は、側面に回転軸用穴が間隔をあけて２か所に形成されている。ワイヤーガイド受け３２は、下面が取付ベース３１の取付面３１ｂにねじにより固定されている。ワイヤーガイド受け３２は、取付ベース３１の開口部３１ａを挟み、線対称に一対で配置されている。ワイヤーガイド受け３２は、一対のワイヤーガイド受け３２として、対面する回転軸用穴が二組できている。対面する回転軸用穴の中心同士を結ぶ二本の線は、互いに平行で、取付ベース３１の取付面３１ｂからの距離が一定となっている。
【００４７】
ワイヤーガイド３３は、長尺矩形状の金属板材が曲げ加工された部材であり、全体的には半枠状をしている。ワイヤーガイド３３は、中間部において幅方向の中央で外向きに曲げられて、長手方向に沿って延びる凹部３３ａ（図４（ｂ）及び図４（ｄ）参照）が形成されており、両端部に貫通孔が形成されている。ワイヤーガイド３３の周囲に形成された凹部３３ａは、ワイヤー１１の外径に対応し、ワイヤー１１がはまり込むようことが可能なよう凹んでいる。ワイヤーガイド３３は、一対のワイヤーガイド受け３２において対面する回転軸用穴間を橋渡すようにして配置され、両端部の貫通孔を通した軸受を兼ねたねじ（不図示）によって、ワイヤーガイド受け３２の回転軸用穴に回動可能に取り付けられている。ワイヤーガイド３３は、ワイヤーガイド受け３２の二組の回転軸用穴に対応して一対で配置されている。このように取付ベース３１の取付面３１ｂにワイヤーガイド受け３２を介して間接的に一対で配置されたワイヤーガイド３３は、回転軸となる両端部から離れた部分が取付ベース３１の取付面３１ｂに近くなる倒れ位置（図４（ａ）及び図４（ｂ）参照）と、両端部から離れた部分が取付ベース３１の取付面３１ｂから遠くなる跳ね上げ位置（図４（ｃ）及び図４（ｄ）参照）との間を回動可能に構成されている。また、ワイヤーガイド受け３２の二組の回転軸用穴に対応して一対で配置されているワイヤーガイド３３は、倒れ位置において、一対としてほぼ平面的な枠状となり、周囲にテンションを加えた状態のワイヤー１１を保持可能である。なお、ワイヤーガイド３３は、倒れ位置において、幅方向の中心を結ぶ線が取付ベース３１の取付面３１ｂに対して平行になるよう構成されていてもよいが、図４（ｂ）に示すように、幅方向の中心を結ぶ線が両端部から離れるに従って取付面３１ｂに近づく向きに僅かに傾斜するよう構成されていることが好ましい。
【００４８】
跳ね上げ用弾性体３４は、トーションばね（ねじりばね）である。跳ね上げ用弾性体３４は、ワイヤーガイド受け３２に、ワイヤーガイド３３と共に軸受を兼ねたねじ（不図示）によって取り付けられている。跳ね上げ用弾性体３４は、一端が取付ベース３１に接し、他端がワイヤーガイド３３に接するように取り付けられており、ワイヤーガイド３３を常に跳ね上げ位置に向けて付勢している。
【００４９】
トリガーベース受け３５は、直方体状のブロックである。トリガーベース受け３５は、下面に固定用のねじ穴が形成されている。トリガーベース受け３５は、下面に平行する方向に貫通する移動軸穴が形成されている。トリガーベース受け３５は、移動軸穴とは別に、貫通するように若しくは外側の側面から内側に深く凹むように形成された安全具支持用穴が形成されている。トリガーベース受け３５は、下面が取付ベース３１の取付面３１ｂにねじ等により固定されている。トリガーベース受け３５は、ワイヤーガイド受け３２が取付ベース３１の開口部３１ａを挟む方向と交差するように取付ベース３１の開口部３１ａを挟み、線対称に一対で配置されている。
【００５０】
トリガーベース３６は、長方形状の金属板のトリガー取付部３６ａと一端側がトリガー取付部３６ａの一方の面に固着され、他端側がトリガー取付部３６ａの一方の面に対して垂直方向に一直線状に延びる棒状のアーム部３６ｂとを有している。トリガーベース３６は、アーム部３６ｂがトリガーベース受け３５の移動軸穴に差し込まれ、線対称に一対で配置されている。このように取付ベース３１の取付面３１ｂにトリガーベース受け３５を介して間接的に一対で配置されたトリガーベース３６は、取付ベース３１の開口部の中心を挟みトリガー取付部３６ａの表面同士が対面している。また、一対のトリガーベース３６は、それぞれ、トリガーベース受け３５の移動軸穴内でアーム部３６ｂがスライドすることで、取付ベース３１の取付面３１ｂに沿って外側位置（図４（ａ）及び図４（ｂ）参照）と内側位置（図４（ｃ）及び図４（ｄ）参照）との間を直線移動可能に構成されている。また、トリガーベース３６は、外側位置にあるときにはアーム部３６ｂの先端部が倒れ位置にあるワイヤーガイド３３と重なり、内側位置にあるときにはアーム部３６ｂの先端部が倒れ位置にあるワイヤーガイド３３と重ならないように、アーム部３６ｂの長さが設定されている。
【００５１】
トリガー３７は、一方の板に対して他方の板が回動可能な蝶番であって一方の板がトリガー取付部３６ａに固定されたヒンジ部３７ａと、ヒンジ部３７ａの他方の板から延びる橋渡し部３７ｂとを有している。ヒンジ部３７ａは、回転軸が取付ベース３１の取付面３１ｂに対して平行に配置されている。橋渡し部３７ｂは、複数の一直線状に延びる棒（本実施形態では２本）が、餌を前足で把持する特性をもった動物の前足が通らない大きさの隙間が形成されるよう所定の間隔で配置された構成となっている。橋渡し部３７ｂを構成する棒は、ヒンジ部３７ａの回転軸に対して直交する方向に延びており、外側位置にある一対のトリガーベース３６間距離寸法に対応した長さ寸法となっている（図４（ａ）及び図４（ｂ）参照）。すなわち、トリガー３７は、一端部が一対のトリガーベース３６の内のいずれかのトリガーベースに、一端部を軸に回動可能に接合しており、取付ベース３１の取付面３１ｂに沿った方向に橋渡し部３７ｂの先端を向ける待機形態（図４（ａ）及び図４（ｂ）参照）と、取付ベース３１の取付面３１ｂに沿った方向に対して交差する方向に橋渡し部３７ｂの先端を向ける作動形態（図４（ｃ）及び図４（ｄ）参照）との間で変形可能に構成されている。トリガー３７は、トリガーベース３６が外側位置にある場合に、平面的に見て全部が取付ベース３１の開口部３１ａと重なる（開口部３１ａの内側に配置されている）とともに、トリガーベース３６間に挟まれて待機形態にすることができるよう構成されている。また、トリガー３７は、作動形態では少なくとも一端部がトリガーベース３６間から外れた位置に移動するよう構成されている。トリガーは、餌を前足で把持する特性をもった動物に対応し、前足が通らない大きさの隙間が内側に形成されているよう構成されている。
【００５２】
トリガー用弾性体３８は、引っ張りばねであり、両端のそれぞれが一対のトリガーベース３６の各トリガーベース３６にひっかけられて接続されている。トリガー用弾性体３８は、トリガーベース３６を常に内側位置に向けて付勢している。
【００５３】
安全具４０は、一直線状に延びる金属棒である。安全具４０は、トリガーベース受け３５の安全具支持用穴に取り外し可能（挿抜可能）に構成されており、取り付けられた際に、一部が倒れ位置にあるワイヤーガイド３３と重なる長さに形成されている。これにより、安全具４０は、ワイヤーガイド３３を倒れ位置ある状態で取り付けた際には、ワイヤーガイド３３が跳ね上げ位置に移動できないようにする。
【００５４】
設置筒５０は、所定の長さの円筒状の筒である。設置筒５０は、内側にトリガー３７からある程度の距離を保って餌を置くことができる長さに形成されている。なお、前述したように作動装置本体３０の取付ベース３１から突出する位置決め突起３１ｃが設置筒５０の内壁面に接する位置に形成されているため、設置筒５０は、取付ベース３１で設置筒５０の開口を覆うようにして、取付ベース３１をずれにくいよう載置可能である。
【００５５】
このように構成された作動装置本体３０は、図３（ａ）、図４（ａ）、及び図４（ｂ）に示すように、待機形態においては、トリガー３７が一対のトリガーベース３６に挟まれていることによって、トリガーベース３６がトリガー用弾性体３８によって内側位置に向けて付勢されている状態で外側位置に留まっている。また、作動装置本体３０は、待機形態においては、トリガーベース３６が外側位置にあり、トリガーベース３６のアーム部３６ｂが倒れ位置にあるワイヤーガイド３３と重なっていることによって、ワイヤーガイド３３が跳ね上げ用弾性体３４によって跳ね上げ位置に向けて付勢されている状態で倒れ位置に留まっている。これにより括り罠１は、待機形態においては、ワイヤーガイド３３が倒れ位置に留まっていることで、ワイヤーガイド３３の周囲に締め付けるテンションを加えた状態のワイヤー１１を、保持した状態に保った状態となる。なお、作動装置２０は、待機形態においては、作動装置本体３０から安全具４０を取り外した形態でも、トリガー３７がトリガーベース３６に挟まれている形態である間は、トリガーベース３６が外側位置に留まっており、ワイヤーガイド３３が倒れ位置に留まっている。
【００５６】
また、このように構成された作動装置本体３０は、トリガー３７の一端が一対のトリガーベース３６から外れることによって待機形態から作動形態に変形する。作動装置本体３０は、図３（ｂ）、図４（ｃ）、及び図４（ｄ）に示すように、作動形態においては、トリガー３７の一端が一対のトリガーベース３６から外れることによって、トリガー用弾性体３８によって付勢されたトリガーベース３６が内側位置に移動する。また、作動装置本体３０は、待機形態においては、トリガーベース３６が内側位置に移動し、トリガーベース３６のアーム部３６ｂが倒れ位置にあるワイヤーガイド３３と重ならなくなることによって、跳ね上げ用弾性体３４によって付勢されたワイヤーガイド３３が跳ね上げ位置に移動する。これにより、括り罠１は、作動形態においては、ワイヤーガイド３３が跳ね上げ位置に移動する途中で、ワイヤーガイド３３の周囲にテンションを加えた状態のワイヤー１１を保持できなくなる。ワイヤーガイドに形成された凹部の形状にもよるが、本実施形態のワイヤーガイド３３は、取付ベース３１の取付面３１ｂに対して４５°の角度に跳ね上がった際にワイヤー１１を保持できなくなる。跳ね上げられながらワイヤーガイド３３から外れたワイヤー１１は、締め付けるテンションにより、括り環１１ｂの環サイズが小さくなる。
【００５７】
（２.実施形態１に係る括り罠１の使用方法）
図５は、実施形態１に係る括り罠１を使用した野生動物の捕獲方法を説明する図である。括り罠１は、一例として図５（ａ）〜図５（ｃ）に示すような流れで仕掛けられ、図５（ｄ）〜図５（ｅ）に示すような流れで野生動物を捕獲する。
【００５８】
まず、使用者は、図５（ａ）に示すように、待機形態の括り罠１として、待機形態の作動装置本体３０にワイヤー装置１０をセットする。詳しくは、待機形態の作動装置本体３０に安全具４０を取り付け、ワイヤー１１の括り環１１ｂをワイヤーガイド３３の周囲に括り付け、ワイヤー１１を締め付けるテンションを加える。これにより、ワイヤー装置１０と作動装置本体３０とを一体にする。
【００５９】
次に、使用者は、図５（ｂ）に示すように、待機形態の括り罠１を仕掛け場所に設置する。詳しくは、仕掛け場所に設置筒５０を固定し、設置筒５０内に餌Ｆを入れ、設置筒５０にワイヤー装置１０と一体になった作動装置本体３０を載置することで設置する。ワイヤー１１の作動装置２０側とは反対の端部は、木やアンカー等にしっかり取り付けておく。なお、設置する際には、野生動物に警戒されないよう、地面に穴を掘って設置筒５０を嵌め込んだり、作動装置２０に落ち葉を被せたりして、括り罠１を周囲にとけこませるようにすることが好ましい。
【００６０】
次に、使用者は、図５（ｃ）に示すように、トリガー３７にショックを与えないように注意して安全具４０を作動装置本体３０から取り外す。これにより、括り罠１は、トリガー３７を軽く押しただけで、作動形態に変形する状態となり、この状態で野生動物がかかるのを待つ。
【００６１】
このようにして仕掛けられた括り罠１に近づいた野生動物Ｎは、図５（ｄ）に示すように、取付ベース３１の開口部３１ａに前足を通して設置筒５０内の餌Ｆを捕りにいく。その際、野生動物Ｎの前足が開口部３１ａ内側にあるトリガー３７を押し、括り罠１は作動形態に変形し始める。
【００６２】
括り罠１が作動形態に変形する際、上述したように、跳ね上げられながらワイヤーガイド３３から外れたワイヤー１１は、締め付けるテンションにより、括り環１１ｂの環サイズが小さくなる。この際、取付ベース３１が沈み込むことはなく、ワイヤーガイド３３が高い位置でワイヤー１１を跳ね上げる。また、この際、野生動物Ｎは、餌を捕りに取付ベース３１の開口部３１ａの下に向けて前足を移動動作中であり、前足を引き戻す動作に移行し難い。これにより、図５（ｅ）に示すように、野生動物Ｎの前足を高い位置を括って、野生動物Ｎを捕獲する。
【００６３】
（３.実施形態１に係る効果）
括り罠の作動装置２０によれば、内側に開口部３１ａを有する取付ベース３１と、開口部３１ａの中心を挟み、外側位置と内側位置との間を移動可能なトリガーベース３６と、待機形態ではトリガーベース３６を外側位置に留めるように一対のトリガーベース３６間に挟まれて、作動形態では少なくとも一端部が一対のトリガーベース３６間から外れるトリガー３７とを備えるため、餌を前足で把持する特性をもった野生動物が開口部３１ａに前足を通そうとすると、前足でトリガー３７を押すことから、待機形態ではトリガー３７が一対のトリガーベース３６間に挟まれた位置となり、作動形態ではトリガー３７が一対のトリガーベース３６間から外れた位置となる変形が可能になる。
【００６４】
括り罠の作動装置２０によれば、トリガーベース３６を常に内側位置に向けて付勢するトリガー用弾性体３８を備えるため、作動形態ではトリガー３７がトリガーベース３６から外れて、トリガーベース３６が内側位置に移動することから、待機形態ではトリガーベース３６が外側位置となり、作動形態ではトリガーベース３６が内側位置となる変形が可能になる。
【００６５】
また、括り罠の作動装置２０によれば、倒れ位置と跳ね上げ位置との間を回動可能なワイヤーガイド３３と、ワイヤーガイド３３を常に跳ね上げ位置に向けて付勢する跳ね上げ用弾性体３４と外側位置にあるときには倒れ位置にあるワイヤーガイド３３と重なり、内側位置にあるときには倒れ位置にあるワイヤーガイド３３と重ならないアーム部３６ｂを有するトリガーベース３６とを備えるため、作動形態では、アーム部３６ｂによるワイヤーガイド３３の跳ね上げ位置への移動規制がなくなることから、待機形態ではワイヤーガイド３３が倒れ位置となり、作動形態ではワイヤーガイド３３が跳ね上げ位置となる変形が可能になる。
【００６６】
よって、本発明に係る括り罠の作動装置２０は、待機形態にして取付ベース３１の開口部３１ａの下に餌Ｆを置いて、ワイヤーガイド３３の周囲にテンションを加えた状態のワイヤー１１をセットして仕掛けておくと、餌を前足で把持する特性をもった野生動物が取付ベース３１の開口部３１ａから前足を入れて餌Ｆを捕ろうとすることでトリガー３７が押され、トリガー３７、トリガーベース３６、及びワイヤーガイド３３と連動して作動形態に変形し、ワイヤーガイド３３に跳ね上げられたワイヤー１１が野生動物の前足を括る。本発明に係る括り罠の作動装置２０は、待機形態から作動形態に変形する際、取付ベース３１の位置は変わらず、ワイヤーガイド３３の支点位置が下がらないため、ワイヤー１１で野生動物の足の高い位置を括りやすい。また、本発明の作動装置２０は、餌Ｆを捕りに取付ベース３１の開口部３１ａの下に向けて前足を移動動作中に作動形態に変形するため、野生動物が前足を引き戻す動作中に作動形態に変形させる場合よりもワイヤー１１で野生動物の足の高い位置を括りやすい。
【００６７】
その結果、括り罠の作動装置２０は、餌を前足で把持する特性をもった野生動物に対し、前足の高い位置をワイヤー１１で括りやすく、このような野生動物の捕獲に適した括り罠の作動装置となる。
【００６８】
括り罠の作動装置２０においては、筒状又は有底筒状で、取付ベース３１を載置可能な設置筒５０を備えているため、設置筒５０の内側にトリガー３７から距離を保たせて餌Ｆを入れることが可能な括り罠の作動装置となる。
【００６９】
括り罠の作動装置２０においては、取り外し可能で、取り付けられた際に一部が倒れ位置にあるワイヤーガイド３３と重なる安全具４０を備えているため、安全具４０によりワイヤーガイド３３が跳ね上げ位置に移動することを規制することから、ワイヤー１１をより安全にセットすることができ、ワイヤー１１をセットしたままでも安全に移動させることができる括り罠の作動装置となる。
【００７０】
括り罠の作動装置２０においては、ワイヤーガイド３３は、周囲にワイヤー１１外径に対応する凹部３３ａが形成されているため、ある程度の高さまでワイヤー１１をしっかり保持できる括り罠の作動装置となる。
【００７１】
括り罠の作動装置２０においては、トリガー３７は、一端部が一対のトリガーベース３６の内のいずれかのトリガーベース３６に、一端部を軸に回動可能に接合されているため、作動状態でもトリガーベース３６とトリガー３７とが分離しないことから、トリガー３７を紛失してしまうことがない括り罠の作動装置となる。
【００７２】
括り罠の作動装置２０においては、トリガー３７は、餌を前足で把持する特性をもった動物に対応し、前足が通らない大きさの隙間が内側に形成されているため、トリガー３７の隙間から餌を目視することが可能となり、野生動物がトリガー３７の隙間から前足を入れようとしてトリガー３７を押す可能性が増すことから、野生動物を捕獲できる可能性を増した括り罠の作動装置となる。
【００７３】
括り罠の作動装置２０においては、跳ね上げ用弾性体３４は、一端が取付ベース３１に接し、他端がワイヤーガイド３３に接するトーションばねであるため、ワイヤーガイド３３を跳ね上げ位置まで十分に付勢できる括り罠の作動装置となる。
【００７４】
括り罠の作動装置２０においては、トリガー用弾性体３８は、一対のトリガーベース３６の各トリガーベース３６に両端のそれぞれが接続される引っ張りばねであるため、それぞれのトリガーベース３６を別々の弾性体で付勢しなくてもよい括り罠の作動装置となる。
【００７５】
括り罠１によれば、括り罠の作動装置２０を備えているため、括り罠の作動装置２０の効果と同様の効果を奏する。
【００７６】
その結果、括り罠１は、餌を前足で把持する特性をもった野生動物に対し、前足の高い位置をワイヤーで括りやすく、このような野生動物の捕獲に適した括り罠となる。
【００７７】
［実施形態２］
図６は、実施形態２に係る括り罠の作動装置１２０の平面図である。図６（ａ）は、待機形態の括り罠の作動装置１２０の平面図である。図６（ｂ）は、作動形態の括り罠の作動装置１２０の平面図である。
【００７８】
実施形態２に係る括り罠の作動装置１２０は、基本的には実施形態１に係る括り罠の作動装置２０と同様の構成を有するが、トリガーベースの移動の仕方が実施形態１係る括り罠の作動装置２０の場合とは異なる。すなわち、図６に示すように、実施形態１のトリガーベース３６が直線移動可能に構成されているのに対し、トリガーベース１３６が回転移動可能に構成されている。さらに詳しくは、実施形態２に係る括り罠の作動装置１２０においては、作動装置本体１３０におけるトリガーベース受け１３５、トリガーベース１３６、及びトリガー用弾性体１３８の構成が実施形態１の作動装置本体３０におけるトリガーベース受け３５、トリガーベース３６、及びトリガー用弾性体３８とは異なる。以下では、実施形態１と異なる構成について説明し、実施形態１と同様の構成については図面において同じ符号を付して説明を省略する。
【００７９】
トリガーベース受け１３５は、取付ベース３１に固定された円柱状の突起である。トリガーベース受け１３５は、ワイヤーガイド受け３２が取付ベース３１の開口部３１ａを挟む方向と交差するように取付ベース３１の開口部３１ａを挟み、一対で配置されている。
【００８０】
トリガーベース１３６は、長方形状の金属板のトリガー取付部１３６ａトリガー取付部１３６ａの一端部から延びるアーム部３６ｂと、貫通孔が形成されトリガー取付部１３６ａと垂直な平面をなすようトリガー取付部１３６ａの幅方向における一方の稜線部の一部から張り出す軸受部１３６ｃとを有している。トリガーベース１３６は、軸受部１３６ｃの貫通孔にトリガーベース受け１３５が差し込まれ、線対称に一対で配置されている。トリガーベース１３６は。取付ベース３１の開口部の中心を挟みトリガー取付部１３６ａの表面同士が対面している。一方のトリガー取付部１３６ａには、実施形態１のトリガー取付部３６ａと同様にトリガー３７が取り付けられている。また、一対のトリガーベース１３６は、それぞれ、トリガーベース受け１３５を回転軸として、取付ベース３１の取付面３１ｂに沿って外側位置（図６（ａ）及び図６（ｂ）参照）と内側位置（図４（ｃ）及び図４（ｄ）参照）との間を回転移動可能に構成されている。また、トリガーベース１３６は、外側位置にあるときにはアーム部１３６ｂの先端部が倒れ位置にあるワイヤーガイド３３と重なり、内側位置にあるときにはアーム部１３６ｂの先端部が倒れ位置にあるワイヤーガイド３３と重ならないように、アーム部１３６ｂの長さや延びる方向が設定されている。
【００８１】
トリガー用弾性体１３８は、トーションばね（ねじりばね）である。トリガー用弾性体１３８は、トリガーベース受け１３５が通され取り付けられている。トリガー用弾性体１３８は、一端が取付ベース３１から突出するピン１３９に接し、他端がトリガー取付部１３６ａに接するように取り付けられており、トリガーベース１３６を常に内側位置に向けて付勢している。
【００８２】
このように構成された作動装置本体１３０は、図６（ａ）に示すように、待機形態においては、トリガー３７が一対のトリガーベース３６に挟まれていることによって、トリガーベース１３６がトリガー用弾性体３８によって内側位置に向けて付勢されている状態で外側位置に留まっている。また、作動装置本体１３０は、待機形態においては、トリガーベース１３６が外側位置にあり、トリガーベース１３６のアーム部１３６ｂが倒れ位置にあるワイヤーガイド３３と重なっていることによって、ワイヤーガイド３３が跳ね上げ用弾性体３４によって跳ね上げ位置に向けて付勢されている状態で倒れ位置に留まっている。
【００８３】
また、このように構成された作動装置本体１３０は、図６（ｂ）に示すように、作動形態においては、トリガー３７の一端が一対のトリガーベース１３６から外れることによって、トリガー用弾性体１３８によって付勢されたトリガーベース１３６が内側位置に移動する。また、作動装置本体１３０は、待機形態においては、トリガーベース１３６が内側位置に移動し、トリガーベース１３６のアーム部１３６ｂが倒れ位置にあるワイヤーガイド３３と重ならなくなることによって、跳ね上げ用弾性体３４によって付勢されたワイヤーガイド３３が跳ね上げ位置に移動する。
【００８４】
このように、実施形態２に係る括り罠の作動装置１２０は、トリガーベースの移動の仕方が実施形態１係る括り罠の作動装置２０の場合とは異なるが、基本的な構成が実施形態１に係る括り罠の作動装置２０と同様であるため、餌を前足で把持する特性をもった野生動物に対し、前足の高い位置をワイヤー１１で括りやすく、このような野生動物の捕獲に適した括り罠の作動装置となる。
【００８５】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００８６】
（１）上記実施形態において記載した構成要素の数、形状、位置、大きさ、材質、接合の方法、移動のためのガイドの方法等は例示であり、本発明の効果を損なわない範囲において変更することが可能である。
【００８７】
（２）上記した実施形態においては、例えば、取付ベースとワイヤーガイド受けとのような互いの相対位置が変動しない部材について、別体構造として説明したが、本発明の効果を損なわない範囲において適宜一体構造としてもよい。また、一体構造として説明したものについて、本発明の効果を損なわない範囲において適宜別体構造としてもよい。
【００８８】
（３）上記した実施形態においては、ワイヤーガイドが金属板材を曲げて形成されているものとして説明したが、本発明はこれに限定されるものではない。例えば、ワイヤーガイドが樹脂の成型品であってもよい。
【００８９】
（４）上記した実施形態においては、跳ね上げ用弾性体がトーションばねであるとして説明したが、本発明はこれに限定されるものではない。例えば、跳ね上げ用弾性体が一対のワイヤーガイド同士を繋ぐゴムであってもよい。
【００９０】
（５）上記した実施形態１においては、トリガーベース受けは直方体状のブロックであるとして説明したが、トリガーベースを移動可能に支持できる構成であれば、本発明はこれに限定されるものではない。例えば、トリガーベース受けとしてアングル状に曲げられ穴のあいた金属板を２枚用いて、２つの穴で移動軸を支持するものであってもよい。
【００９１】
（６）上記した実施形態においては、トリガーは一端部がヒンジ部によってトリガーベースに固定されるものとして説明したが、本発明はこれに限定されるものはない。例えば、トリガーが単にトリガーベース間を橋渡すつっかえ棒で、押されると両端部がトリガーベースから完全に離れるものであってもよい。
【００９２】
（７）上記した実施形態においては、トリガーは、トリガーベースが外側位置にある場合に、平面的に見て全部が取付ベースの開口部と重なる（開口部の内側に配置されている）ものとして説明したが、本発明はこれに限定されるものではない。例えば、トリガーは、トリガーベースが外側位置にある場合に、野生動物が取付ベースの開口部に前足を通す時に触れるようになっていれば、平面的に見て一部が取付ベースの開口部と重なるものであってあってもよい。
【００９３】
（８）上記した実施形態においては、トリガーを構成する橋渡し部が複数の棒から構成されるものであるとして説明したが、本発明はこれに限定されるものではない。例えば、橋渡し部が平板であってもよい。なお、平板である場合には、餌を前足で把持する特性をもった動物の前足が通らない大きさで内側に開口を設けることが、野生動物に餌を認識させやすくできるうえで好ましい。
【００９４】
（９）上記した実施形態１においては、トリガー用弾性体は引っ張りばねであり、実施形態２においては、トリガー用弾性体はトーションばねであるとして説明したが、トリガーベースを常に内側位置に向けて付勢できれば、トリガー用弾性体はこれに限定されるものではない。例えば、トリガー用弾性体は、図７に示すように、トリガー用弾性体は、トリガーベース受け３５とトリガーベース３６のトリガー取付部３６ａとの間に配置された圧縮ばねであってもよい。
【符号の説明】
【００９５】
１，１０１…括り罠
１０…ワイヤー装置
１１…ワイヤー
２０，１２０…括り罠の作動装置（作動装置）
３０，１３０…作動装置本体
３１…取付ベース
３１ａ…開口部、３１ｂ…取付面
３２…ワイヤーガイド受け
３３…ワイヤーガイド
３３ａ…凹部
３４…跳ね上げ用弾性体
３５，１３５…トリガーベース受け
３６，１３６…トリガーベース
３６ａ，１３６ａ…トリガー取付部、３６ｂ，１３６ｂアーム部
３７…トリガー
３８，１３８…トリガー用弾性体
４０…安全具
５０…設置筒
Ｆ…餌
【図１】
2020036556.tif 000003
【図２】
2020036556.tif 000004
【図３】
2020036556.tif 000005
【図４】
2020036556.tif 000006
【図５】
2020036556.tif 000007
【図６】
2020036556.tif 000008
【図７】
2020036556.tif 000009
【図８】
2020036556.tif 000010
【図９】
2020036556.tif 000011
【手続補正書】
【提出日】平成31年1月7日(2019.1.7)
【手続補正１】
【補正対象書類名】特許請求の範囲
【補正対象項目名】請求項４
【補正方法】変更
【補正の内容】
【請求項４】
前記ワイヤーガイドは、前記周囲に凹部が形成されている請求項１〜３のいずれかに記載の括り罠の作動装置。
【手続補正２】
【補正対象書類名】特許請求の範囲
【補正対象項目名】請求項６
【補正方法】変更
【補正の内容】
【請求項６】
前記トリガーは、餌を前足で把持する特性をもった動物に対応し、隙間が内側に形成されている請求項１〜５のいずれかに記載の括り罠の作動装置。
【手続補正３】
【補正対象書類名】特許請求の範囲
【補正対象項目名】請求項９
【補正方法】変更
【補正の内容】
【請求項９】
野生動物を捕獲する括り罠であって、
ワイヤー及び前記ワイヤーを締め付けるようにテンションを加えることが可能に構成されたワイヤー締め付け機構を有するワイヤー装置と、
前記テンションを加えた状態の前記ワイヤーを保持可能な括り罠の作動装置とを備え、
前記括り罠の作動装置として請求項１〜８のいずれかに記載の括り罠の作動装置を備える括り罠。